(57)【要約】      （修正有）【課題】情報記録媒体を中に収容した包装容器において、包装容器の表面に施された印刷画像による広告宣伝表示部を通して、確実に見せることできる広告宣伝媒体を提供する。【解決手段】包装容器内に充填包装した商品と共に該商品と全く無関係の他の商品を広告宣伝する情報記録媒体を収容してなり、前記包装容器の外面に、前記商品の商品名、商標名、製造者、販売者、商品説明事項等の商品表示にかかる文字、図形、記号、絵柄等からなる印刷画像による商品内容表示部を形成すると共に、該商品内容表示部以外の領域に、前記情報記録媒体に関連する文字、図形、記号、絵柄等からなる広告宣伝表示部を形成したことを特徴とする広告宣伝媒体であり、前記包装容器が蓋付きカップ、あるいは、蓋付きトレーであることを特徴とするものであり、また、前記情報記録媒体が、ディスク状であることを特徴とするものである。【選択図】図１
2006030818.tif 000002
【特許請求の範囲】
【請求項１】
包装容器内に充填包装した商品と共に該商品と全く無関係の他の商品を広告宣伝する情報を記録した情報記録媒体を収容してなり、前記包装容器の外面に、前記商品の商品名、商標名、製造者、販売者、商品説明事項等の商品表示にかかる文字、図形、記号、絵柄等からなる印刷画像による商品内容表示部を形成すると共に、該商品内容表示部以外の領域に、前記情報記録媒体に記録した内容に関連する文字、図形、記号、絵柄等からなる印刷画像による広告宣伝表示部を形成したことを特徴とする広告宣伝媒体。
【請求項２】
前記包装容器が蓋付きカップであることを特徴とする請求項１に記載する広告宣伝媒体。
【請求項３】
前記蓋付きカップの形状が、逆円錐台形状であることを特徴とする請求項２に記載する広告宣伝媒体。
【請求項４】
前記包装容器が蓋付きトレーであることを特徴とする上記の請求項１に記載する広告宣伝媒体。
【請求項５】
前記情報記録媒体が、ディスク状であることを特徴とする請求項１乃至４のいずれかに記載する広告宣伝媒体。
【発明の詳細な説明】
【技術分野】
【０００１】
本発明は、広告宣伝媒体に関し、更に詳しくは、商品を購入した人に、情報記録媒体を利用して広告宣伝したい商品を確実に知らせ、その関心を強く引きつけることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像による商品内容表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。他にも、街頭のネオンサイン等を利用し、主に、視覚を通して商品を広告宣伝する場合、更には、ラジオ、街頭放送等を利用し、主に、音声を通して商品を広告宣伝する場合、テレビ等を利用し、主に、音声と映像等を通して商品を広告宣伝する場合等もある。
【０００３】
しかし、上記のような広告宣伝媒体による広告宣伝は、不特定多数の人に向かって商品を広告宣伝するものであり、通常、一人一人は、それを視覚を通して見ても、また、それを聴覚を通して聴いても、広告宣伝する商品について、それ程関心を引くものではないものである。ましてや、人は、近年、広告宣伝による喧騒、騒々しさ等に嫌悪感を持ち、かつ、辟易しており、それほどに関心のない商品には、見たり、聴いたりすることを避け、チラシ、カタログ等に至っては、見ないで、そのまま捨ててしまい、その商品の広告宣伝に振り向かないのが実状である。この問題を解決するために、包装容器の外面に、その中に充填包装されている商品の商品名、商標名、製造者、販売者、商品説明事項等の商品表示にかかる文字、図形、記号、絵柄等からなる印刷画像による商品内容表示部を形成すると共に、該商品内容表示部以外の領域に、この包装容器内に充填包装されている商品と全く無関係の他の商品を広告宣伝する文字、図形、記号、絵柄等からなる印刷画像による広告宣伝表示部を形成したことを特徴とする広告宣伝媒体が提案されている（例えば、特許文献１参照。）。
【特許文献１】特開平１０−２６８８１７号公報
【発明の開示】
【発明が解決しようとする課題】
【０００４】
しかしながら、上記の広告宣伝媒体では、包装容器内に充填包装されている商品と全く無関係の他の商品を広告宣伝する文字、図形、記号、絵柄等からなる印刷画像による広告宣伝表示部を形成する領域は限定されて不十分なため、広告宣伝を詳しく、あるいは、大きく表示することが難しく、充分な情報量を持った広告宣伝を行うことができないという問題がある。
【０００５】
本発明は、商品と共に、画像、映像、音声、ソフトプログラム等が記録された情報記録媒体を中に収容した包装容器において、広告宣伝したい他の商品について、一人一人が包装容器を手に持って、表面に施された印刷画像による広告宣伝表示部を通して、必然的に、確実に見せることできる広告宣伝媒体であって、その広告宣伝表示部を通じて、情報記録媒体に記録された広告宣伝を強調する広告宣伝媒体を提供することを目的とするものである。
【課題を解決するための手段】
【０００６】
上記のような問題点を解決するための本発明は、包装容器内に充填包装した商品と共に該商品と全く無関係の他の商品を広告宣伝する情報記録媒体を収容してなり、前記包装容器の外面に、前記商品の商品名、商標名、製造者、販売者、商品説明事項等の商品表示にかかる文字、図形、記号、絵柄等からなる印刷画像による商品内容表示部を形成すると共に、該商品内容表示部以外の領域に、前記情報記録媒体に関連する文字、図形、記号、絵柄等からなる広告宣伝表示部を形成したことを特徴とする広告宣伝媒体であり、前記包装容器が蓋付きカップ、あるいは、蓋付きトレーであることを特徴とするものであり、また、前記情報記録媒体が、ディスク状であることを特徴とするものである。
【発明の効果】
【０００７】
本発明の広告宣伝媒体によれば、種々の商品が収容されている包装容器の外面に着目し、種々の商品を収容する包装容器の外面に、その商品の商品名、商標名、製造者、販売者、商品説明事項等の商品表示にかかる文字、図形、記号、絵柄等からなる印刷画像による商品内容表示部を形成し、さらに、この商品内容表示部以外の領域に、収容されている商品とは全く無関係の他の商品を広告宣伝する文字、図形、記号、絵柄等からなる印刷画像による広告宣伝表示部を形成した包装容器とすることにより、この商品が収容された包装容器を購入しようとする、あるいは、購入した一人一人は、その包装容器を手に持って、その外面に施されている充填包装されている商品と共に他の商品に関する印刷画像による広告宣伝表示部に目を落とし、必然的に、確実に、その広告宣伝表示部を見ることになり、これによって、極めて商品の広告宣伝機能の高めることができるという効果を有している。
【０００８】
また、包装容器内に収容されている商品とは全く無関係の他の商品を広告宣伝する文字、図形、記号、絵柄等からなる印刷画像による広告宣伝表示部と関連した画像、映像、音声、ソフトプログラム等の情報を記録した情報記録媒体を包装容器内に収容することにより、この情報記録媒体からより多くの宣伝情報を提供することができるという効果を有している。
【０００９】
また、逆円錐台形のカップ形状の包装容器、あるいは、逆円錐台形のトレー形状の包装容器とすることによって、円盤状の情報記録媒体を収容する場合、必要最小限の大きさの包装容器とすることができる。
【発明を実施するための最良の形態】
【００１０】
上記の本発明について以下に更に詳しく説明する。
まず、本発明にかかる広告宣伝媒体の構成についてその実施の形態を例示して図面を用いて説明すると、図１は、本発明にかかる広告宣伝媒体となる包装容器１を示す斜視図である。包装容器１が、蓋付きカップである場合を例示するものであり、まず、図１―ａに示すように、例えば、即席ラーメン等の商品２を収容した包装容器１の外面の前面に、その即席ラーメン等の商品２を表示する事項、例えば、商品２の商標名ａ、商品２を表す絵柄ｂ、商品２の品名、中身、内容量、製造者、および販売者等を表す欄ｃ、その他、商品２の飲料法、保存法等の所定の表示事項（図示してない）等の商品２を表す文字、図形、記号、絵柄等からなる印刷画像による商品内容表示部３を形成し、さらに、図１−ｂに示すように、商品内容表示部３以外の領域に、この包装容器１の中に収容されている即席ラーメン等の商品２と全く無関係である、例えば、自動車等の他の商品４を広告宣伝する事項、例えば、他の商品４の商品名ｘ、他の商品４を表す絵柄ｙ、他の商品４の性能、製造者、販売者等の他の商品４を表示する欄ｚ、その他、他の商品４の使用法、修理法等の所定の事項（図示してない）等の他の商品４を表す文字、図形、記号、絵柄等からなる印刷画像による広告宣伝表示部５を形成して、本発明にかかる広告宣伝媒体Ａを構成するものである。
【００１１】
また、この包装容器１の中には、図２に示すように、商品２と共に、画像、映像、音声、プログラムソフト等が記録されている情報記録媒体６が収容されている。この情報記録媒体６に記録された内容と、包装容器１の外面に形成された広告宣伝表示部５に示した内容とは連動したものとなっている。また、情報記録媒体６には、種々の記録媒体があり、例えば、ディスク状の記録媒体として、ＣＤ−Ｒ、ＣＤ−ＲＷ、ＣＤ−ＲＯＭ、ＨＤＣＤ、ＡＶＣＤ、ＳＡＣＤ、ＤＳＤ、ＸＲＣＤ等のＣＤ（コンパクトディスク）、ＤＶＤ−Ｒ、ＤＶＤ−ＲＷ、ＤＶＤ−ＲＯＭ、ＤＶＤ−ＲＡＭ、ＤＶＤ+Ｒ、ＤＶＤ+ＲＷ等のＤＶＤ（デジタルバーサタイルディスク）等があり、メモリーカードとして、コンパクトフラッシュ、マイクロドライブ、スマートメディア、ｘＤピクチャーカード、ＳＤカード、メモリースティック等があり、その他にＦＤ（フロッピーディスク）、ＭＯ等があげられる。
【００１２】
この情報記録媒体３は個包装されて包装容器１の中に収容されるが、個包装はプラスチックフィルム等で作製された袋体Ｐの中に収納される。この袋体Ｐの材料として使用されるプラスチックフィルムは、ガスバリアー、水蒸気透過、芳香性、遮光等のバリアー性、耐熱性・耐ピンホール性等の物理的強度、衛生性、包装適性等の種々の条件が要求され、このために、本発明においては、上記のような諸条件を充足する材料を任意に選択して使用することができ、具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマー樹脂、エチレン−アクリル酸エチル共重合体、エチレン−アクリル酸またはメタクリル酸共重合体、メチルペンテンポリマー、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジエン−スチレン共重合体（ＡＢＳ系樹脂）、ポリエステル系樹脂、ポリアミド系樹脂、ポリカーボネート系樹脂、ポリビニルアルコール系樹脂、エチレン−酢酸ビニル共重合体のケン化物、フッ素系樹脂、ジエン系樹脂、ポリアセタール系樹脂、ポリウレタン系樹脂、ニトロセルロース等の公知の樹脂からなるフィルムから任意に選択して使用することができる。上記のプラスチックフィルムは、未延伸、一軸ないし二軸方向に延伸されたもののいずれのものでも使用することができ、その厚さは、任意であるが、１０〜３００μｍの範囲から選択して使用することができる。さらに、上記のプラスチックフィルムとしては、押し出し成膜、インフレーション成膜、コーティング膜等のいずれの製膜方法によるものでもよい。
【００１３】
また、プラスチックフィルム以外には、例えば、各種の紙、合成紙等も使用することができ、例えば、強サイズ性の晒または未晒の紙、純白ロール紙、クラフト紙、板紙、加工紙等を使用することができる。紙の坪量が８０〜６００ｇ／ｍ2の範囲のものを使用することが望ましい。勿論、これらの紙と、上記に挙げたプラスチックフィルムを積層して使用することができる。
【００１４】
また、本発明において、袋体Ｐを構成する場合、必要ならば、例えば、遮光、水蒸気、ガス等のバリアー性を有するアルミニウム箔、あるいはアルミニウムの蒸着膜を有する樹脂のフィルム、水蒸気、ガス等のバリアー性を有する酸化ケイ素、酸化アルミニウム等の無機酸化物の蒸着膜を有する樹脂のフィルム、水蒸気、水等のバリアー性を有する低密度ポリエチレン、中密度ポリエチレン、高密度ポリエチレン、直鎖状低密度ポリエチレン、ポリプロピレン、エチレン−プロピレン共重合体等の樹脂のプラスチックフィルム、あるいは、ガス、水蒸気等に対するバリアー性を有するポリ塩化ビニリデン、ポリビニルアルコール、エチレン−酢酸ビニル共重合体ケン化物等の樹脂のプラスチックフィルム、樹脂に顔料等の着色剤を、その他、所望の添加剤を加えて混練してフィルム化してなる遮光等のバリアー性を有する各種の着色樹脂のプラスチックフィルム、印刷層を設けてなる遮光等のバリアー性を有する各種のプラスチックフィルム等を使用することができる。これらの材料は、一種ないしそれ以上を組み合わせて使用することができる。
【００１５】
本発明の場合、中に収納する情報記録媒体６の材料のプラステック臭の食品へのオフフレーバーを防止するために、前述のガス等のバリアー性を有するアルミニウム箔、あるいはアルミニウムの蒸着膜を有する樹脂のフィルム、酸化ケイ素、酸化アルミニウム等の無機酸化物の蒸着膜を有する樹脂のフィルム、ポリ塩化ビニリデン、ポリビニルアルコール、エチレン−酢酸ビニル共重合体ケン化物等の樹脂のフィルムないしシートを基材として用いることが望ましい。
【００１６】
上記のような材料を使用し、例えば、ウエットラミネーション法、ドライラミネーション法、無溶剤型ドライラミネーション法、押し出しラミネーション法、共押し出しラミネーション法、インフレーション法等の通常の積層方法を利用して、所望の積層材を製造し、これを製袋して、袋体Ｐを製造することができる。また、上記の積層を行う際に、必要ならば、例えば、コロナ処理、オゾン処理等の前処理をフィルムに施すことができ、また、例えば、イソシアネート系（ウレタン系）、ポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系等のラミネート用接着剤等の前処理、アンカーコート剤、接着剤等を使用することができる。
【００１７】
つぎに、本発明の包装体において、上記のような積層材を使用して袋体Ｐに製袋するが、その袋体Ｐの形状は、例えば、側面シール型、二方シール型、三方シール型、四方シール型、封筒貼りシール型、合掌貼りシール型（ピローシール型）、ひだ付シール型、平底シール型、角底シール型等である。特に、広く普及されている円盤状のＣＤ、ＤＶＤを袋体Ｐに密封するには、図に示すように、４隅を斜めシールすることが好ましい。
【００１８】
上記のような積層材を使用して袋体Ｐに製袋する方法について説明すると、上記のような方法で製造した積層材を使用し、その内層のヒートシール性樹脂層の面を対向させて、折り重ねるか、あるいは、二枚を重ね合わせて周辺端部をヒートシールしてシール部を設けて袋体Ｐを構成することができる。そのヒートシールの方法としては、例えば、バーシール、回転ロールシール、ベルトシール、インパルスシール、高周波シール、超音波シール等の公知の方法で行うことができる。
【００１９】
包装容器１としては、種々の形態が適応可能であり、形状、材料等は、特に限定されるものではないが、中に商品２と共に情報記録媒体６を収容することから、情報記録媒体６の形状に対応した形状のものとすることが好ましく、最も広く普及しているＣＤ、ＤＶＤ等の情報記録媒体６が円盤状であり、その点から、逆円錐台形のカップ容器あるいはトレー容器が好ましい。カップ容器の場合、紙カップとプラスチックカップとがあり、トレー容器の場合、紙トレーとプラスチックトレーがあり、いずれの場合も、本体と蓋体とから構成されている。
【００２０】
好適に使用できるカップ容器について説明すると、紙カップの場合、図２に示すように、カップ本体１１は、一般的な紙カップ成形機により成形される。カップ本体１１は、胴部１３と底部１４とからなっている。胴部１３の上部には周状の先端に形成された外向きのトップカール部１５を有しており、さらに、カップ本体１１の開口部に蓋体１２が密封シールされている形態となっている。
【００２１】
使用される紙の材料構成としては、紙を主強度材とし、最内層に熱可塑性樹脂を有することを基本としている。具体的に、紙基材としては、賦型性、耐屈曲性、剛性等を持たせるものであり、例えば、強サイズ性の晒または未晒の紙基材、あるいは純白ロール紙、クラフト紙、板紙、加工紙等の紙基材、その他等を使用することができる。上記において、紙基材としては、坪量が８０〜６００ｇ／ｍ2の範囲もの、好ましくは、坪量が１００〜４５０ｇ／ｍ2の範囲ものを使用することが望ましい。勿論、本発明においては、紙基材と各種の樹脂のフィルムないしシート等を併用して使用することができる。例えば、紙／ポリエチレン、ポリエチレン／紙／ポリエチレン、ポリプロピレン／紙／ポリプロピレン、紙／ポリエチレン／アルミニウム／ポリエチレン、ポリエチレン／紙／ポリエチレン／アルミニウム／ポリエチレン、ポリエチレン／アルミニウム／紙／ポリエチレンなどが挙げられる。
【００２２】
プラスチックカップの場合、図３に示すように、カップ本体１１は、プラスチックシートの成形により形成される。プラスチックシートの材料としては、ポリプロピレン樹脂、ポリエチレン樹脂、ポリエチレンテレフタレート樹脂、ポリスチレン樹脂、ポリ塩化ビニル樹脂などがあげられる。あるいは、これらの樹脂に珪酸マグネシウムなどのフィラーを混入して使用することもできる。これらの樹脂からなるプラスチックシートを真空成形或いは圧空成形により成形することにより、カップ本体１１はカップ状に形成される。胴部１３の上端には周状に形成された外向きのフランジ部１７を有し、底部１４には脚部１６を有しており、さらに、カップ本体１１の開口部に蓋体１２が密封シールされている形態となっている。このプラスチックカップの場合、上記の樹脂等を使用したインジェクション成形により形成することもできる。
【００２３】
上記紙カップやプラスチックカップのカップ本体１１にシールする蓋体１２としては、紙、アルミニウム箔、プラスチックフィルム、あるいはこれらの積層体の片面にイージーピール性を有するシーラント層を設けた構成としている。例えば、層構成としては、紙／ポリエチレン、ポリエチレン／紙／ポリエチレン、ポリエチレン／紙／アルミニウム箔／ポリエチレン、ポリエチレン／紙／アルミニウム箔／ポリエチレン／ポリエチレンテレフタレート／ポリエチレン、ポリエチレン／紙／アルミニウム箔／ポリエチレン／高密度ポリエチレン／ポリエチレン、ポリエチレンテレフタレート／アルミ蒸着／ポリエチレン／ホットメルト接着剤、アルミニウム箔／ホットメルト接着剤などの構成が挙げられるが、これに限定されるものではなく、内容物等に応じて公知の任意のものが使用できる。
【００２４】
包装容器１が紙カップあるいは紙トレーの場合には、上記のような材料を使用して、予め、原反の状態において、プラスチックカップあるいはプラスチックトレーの場合には、包装容器１の状態で、例えば、文字、図形、記号、絵柄、模様等の所望の印刷絵柄を通常の印刷法、例えば、オフセット印刷、グラビア印刷、凸版印刷、シルクスクリ−ン印刷、転写印刷等によって、包装容器１内に収容した商品２を表示する商品名、商標名、製造者、販売者、商品説明事項等を表示する文字、図形、記号、絵柄等からなる印刷画像による商品内容表示部３を形成すると共に、該商品内容表示部３以外の領域に、包装容器１内に収容された商品２と全く無関係の他の商品４を広告宣伝する文字、図形、記号、絵柄等からなる印刷画像による広告宣伝表示部５を形成することができるものである。なお、本発明においては、上記のような商品内容表示部３あるいは広告宣伝表示部５を形成するに際しては、構成する文字、図形、記号、絵柄等を、通常の印刷インキを使用して形成する代わりに、例えば、蛍光性インキ、示温性インキ等を使用することもでき、また、凹凸画像等にすることもでき、さらに、ホログラフィー等を使用して形成してもよく、さらにまた、印刷インキの色数を増やして形成することもでき、広告宣伝効果を高めることが可能となるものである。
【００２５】
また、表面に商品内容表示部３と広告宣伝表示部５を形成した包装容器１の中には、主たる商品２を収容すると共に、広告宣伝表示部５の内容と連動している内容を記録しているＣＤ、ＤＶＤ等の情報記録媒体６を収容しているが、収容する状態としては、情報記録媒体６を袋体Ｐで個包装して、流通過程等で情報記録媒体６が損傷することがないように、商品２の下ではなく、図２に示すように、荷重がかからないように収容した商品２の上に重ねた状態、かつ、水平状態とすることが好ましい。この場合、情報記録媒体６が包装容器１の開口部に近い位置で保持されることから、情報記録媒体６の最大長さが、包装容器１の開口部内径より小さいことが好ましい。
【００２６】
本発明にかかる広告宣伝媒体については、包装容器の形態は、カップ容器、トレー容器に限定されるものではなく、例えば、カートン、缶等とすることができ、その形態は、内容物である商品の形態により、種々の形態のものを取り得るものである。本発明においては、上記のような広告宣伝媒体により、包装容器に収容されている商品を購入しようとする、あるいは、購入した一人一人は、その包装容器を手に持って、その外面に施されている収容されている商品と共に他の商品に関する広告宣伝表示部に目を落とし、必然的に、確実に、その広告宣伝表示部を見ることになり、さらに、広告宣伝表示部に連動した内容の情報が記録されて、包装容器の中に収容されている情報記録媒体からも多くの情報を得ることができ、極めて高い商品の広告宣伝機能を発揮することができるものである。
【００２７】
なお、本発明において、包装容器に収容した商品を表示する商品内容表示部と、商品内容表示部以外の領域に、包装容器内に収容された商品と全く無関係の他の商品を広告宣伝する広告宣伝表示部は、上記のように、通常は、包装容器の原反の外面に設けるものであるが、包装容器の外側に巻き付けたり、嵌合して設ける外装体、包装紙等の商品の外装材、あるいは、包装容器の外面に貼り合わせるラベル等にも設けることもでき、これによって、包装容器の外装体、あるいは、ラベル等も、本発明にかかる広告宣伝媒体とすることもできるものである。
【実施例】
【００２８】
つぎに、上記の本発明の広告宣伝媒体について、実施例をあげて、以下に詳しく説明する。
【００２９】
＜実施例１＞
坪量２３０ｇ／ｍ2のカップ原紙を使用して、開口部の直径が９ｃｍの円形、底部の直径が７ｃｍの円形、高さが１２ｃｍの紙カップを作製し、この紙カップの中に内容物の商品である個包装したチョコレートと共に、アルミ蒸着ＰＥＴ１２μｍ／ＬＭＤ／ＬＬＤＰＥ５０μｍの構成からなるプラスチックフィルムを使用して個包装した直径７ｃｍのＣＤを収納し、開口部を紙／アルミニウム箔／イージーピール層の構成からなる蓋体で密封シールした。このＣＤは、新人歌手の曲と紹介が記録されているものである。そして、紙カップの外面に、チョコレートの商品名、絵柄、原材料名、内容量、賞味期限、製造者、あるいは販売者等を表示する印刷画像である商品内容表示部３を印刷し、併せて、チョコレートを表示した商品内容表示部３以外の領域に、チョコレートと全く関係のないＣＤに記録した内容の新人歌手に関する文字、絵柄等の印刷画像である広告宣伝表示部５を印刷した。
【００３０】
このようにして図４に示すように、商品であるチョコレートを販売すると共に、商品を購入した人に対して、その包装容器を手に持って、その外面に施されている収容されている商品と共に、収納されているＣＤに関する広告宣伝表示部５に目を落とし、必然的に、確実に、その広告宣伝表示部５を見ることになり、さらに、収納されているデモＣＤで新人歌手を宣伝することができ、極めて高い商品の広告宣伝機能を発揮することができる広告宣伝媒体Ｂを作製できた。
【００３１】
＜実施例２＞
厚さ０．２５ｍｍのポリエチレンテレフタレートのシートを使用して、真空成形により、開口部の直径が１３ｃｍの円形、底部の直径が１２ｃｍの円形、高さが４．５ｃｍのプラスチックトレーを作製し、このプラスチックトレーの中に内容物の商品である個包装したキャンディーと共に、アルミ蒸着ＰＥＴ１２μｍ／ＡＣ／ＬＤＰＥ１５μｍ／ＬＬＤＰＥ３０μｍの構成からなるプラスチックフィルムを使用して個包装した直径１２ｃｍのＣＤを収納し、開口部を紙／アルミニウム箔／イージーピール層の構成からなる蓋体で密封シールした。このＣＤは、新発売のゲームソフトの宣伝用のものである。そして、プラスチックカップの蓋体の外面に、キャンデーの商品名、絵柄、原材料名、内容量、賞味期限、製造者、あるいは販売者等を表示する印刷画像である商品内容表示部３を印刷し、カップ本体の胴部に、キャンデーと全く関係のないＣＤに記録した内容のゲームソフトに関する文字、絵柄等の印刷画像である広告宣伝表示部５を印刷したシールを貼付した。
【００３２】
このようにして図５に示すように、商品であるキャンデーを販売すると共に、商品を購入した人に対して、その包装容器を手に持って、その外面に施されている収容されている商品と共に、収納されている新発売のゲームソフトのＣＤに関する広告宣伝表示部５に目を落とし、必然的に、確実に、その広告宣伝表示部５を見ることになり、さらに、収納されているゲームソフトのデモＣＤを利用することができ、極めて高い商品の広告宣伝機能を発揮することができる広告宣伝媒体Ｃを作製できた。
【００３３】
＜実施例３＞
坪量４００ｇ／ｍ2のカップ原紙を使用して、開口部の直径が１３ｃｍの円形、底部の直径が１０ｃｍの円形、高さが１０ｃｍの紙カップを作製し、その外側に、坪量２７０ｇ／ｍ2の板紙を使用して、扇形の両縁を貼り合せて筒状とした外筒１８を嵌合して二重カップとした。この二重カップの中に内容物の商品である即席ラーメン、個包装した具、個包装した調味料と共に、アルミニウム箔９μｍ／ＬＭＤ／ＬＬＤＰＥ５０μｍのか構成からなるプラスチックフィルムを使用して個包装した直径１２ｃｍのＤＶＤを収納し、開口部を紙／アルミニウム箔／イージーピール層の構成からなる蓋体で密封シールした。このＤＶＤは、新発売する自動車に関する映像が記録されているものである。そして、外筒１８の外面に、即席ラーメンの商品名、絵柄、原材料名、内容量、賞味期限、製造者、あるいは販売者等を表示する印刷画像である商品内容表示部３を印刷し、併せて、即席ラーメンを表示した商品内容表示部３以外の領域に、即席ラーメンと全く関係のないＤＶＤに記録した新発売の自動車に関する文字、絵柄等の印刷画像である広告宣伝表示部５を印刷した。
【００３４】
このようにして図６に示すように、商品である即席ラーメンを販売すると共に、商品を購入した人に対して、その包装容器を手に持って、その外面に施されている収容されている商品と共に、収納されているＤＶＤに関する広告宣伝表示部５に目を落とし、必然的に、確実に、その広告宣伝表示部５を見ることになり、さらに、収納されているＤＶＤで新発売の自動車に関する詳しい情報を得ることができ、極めて高い商品の広告宣伝機能を発揮することができる広告宣伝媒体Ｄを作製できた。
【産業上の利用可能性】
【００３５】
具体的な用例としては、包装容器内に収容する商品、あるいは、これと全く関係のない他の商品としては、例えば、ラーメン、スープ、スパゲッティ等の即席食品、菓子、キャンディー、その他の飲食品、洗剤、歯磨き粉、その他の日用品・雑貨品、テレビ、冷蔵庫、洗濯機、掃除機、パソコン、ゲーム機、オーディオ製品、その他の電気製品、医薬品、ゴルフクラブ、サーカーボール、野球道具、その他の運動用具等の商品を対象とすることができ、これらの商品を任意に組み合わせて適用することができる。また、情報記録媒体に記録する情報としては、映像、画像、音楽、ゲームソフト等の各種プログラム、メッセージ等がある。
【図面の簡単な説明】
【００３６】
【図１】本発明にかかる広告宣伝媒体を示す斜視図である。
【図２】本発明にかかる広告宣伝媒体の構成を示す概略的断面図である。
【図３】本発明にかかる広告宣伝媒体の包装容器の他の形状を示す概略的断面図である。
【図４】本発明にかかる広告宣伝媒体の一実施例を示す斜視図である。
【図５】本発明にかかる広告宣伝媒体の別の実施例を示す斜視図である。
【図６】本発明にかかる広告宣伝媒体のさらに別の実施例を示す斜視図である。
【符号の説明】
【００３７】
Ａ  広告宣伝媒体
Ｂ  広告宣伝媒体
Ｃ  広告宣伝媒体
Ｄ  広告宣伝媒体
１  包装容器
２  商品
３  商品内容表示部
４  他の商品
５  広告宣伝表示部
６  情報記録媒体
１１  カップ本体
１２  蓋体
１３  胴部
１４  底部
１５  トップカール部
１６  脚部
１７  フランジ部
１８  外筒
Ｐ  袋体
ａ  商品の商標名
ｂ  商品を表す絵柄
ｃ  商品の品名、中身、製造者、および販売者等を表す欄
ｘ  他の商品の商標名
ｙ  他の商品を表す絵柄
ｚ  他の商品の性能、製造者等を表示する欄
【図１】
2006030818.tif 000003
【図２】
2006030818.tif 000004
【図３】
2006030818.tif 000005
【図４】
2006030818.tif 000006
【図５】
2006030818.tif 000007
【図６】
2006030818.tif 000008